(57)【特許請求の範囲】
【請求項１】
マイクロホンにて取り込まれた所定レベル以上の音声若しくは所定範囲内の周波数の音声を音声検出手段が音声検出した場合に、制御手段によって回線を閉結する動作が自動的に行われる通信装置において、
現在時刻を計時する計時手段と、
特定の時間帯を記憶する記憶手段と、
前記記憶手段に前記特定の時間帯を設定するための時間帯設定手段と、
を有し、
前記制御手段は、前記計時手段にて計時される現在時刻と前記記憶手段に記憶される特定の時間帯とを対比し、現在時刻が前記特定の時間帯に属する場合に、前記音声検出手段の音声検出感度を自動的に設定制御して、所定の感度まで上げたり下げたりすることを特徴とする通信装置。
【請求項２】
マイクロホンにて取り込まれた所定レベル以上の音声若しくは所定範囲内の周波数の音声を音声検出手段が音声検出した場合に、制御手段によって回線を閉結する動作が自動的に行われる通信装置において、
現在時刻を計時しつつ特定の時刻との対比を行い、現在時刻が前記特定の時刻に一致したときに、前記制御手段に所定の信号を入力するタイマーと、
前記タイマーに前記特定の時刻を設定するためのタイマー設定手段と、
を有し、
前記制御手段は、前記タイマーから入力された前記所定の信号に基づいて、前記音声検出手段の音声検出感度を自動的に設定制御して、所定の感度まで上げたり下げたりすることを特徴とする通信装置。
【発明の詳細な説明】
【０００１】
【発明の属する技術分野】
本発明は、通信装置に関し、特に、音声検出機能による騒音の誤検出を簡単に防止できる通信装置に関する。
【０００２】
【従来の技術】
近年、音声検出機能を備え、所定レベル以上の音声を検出したときに、自動的に受話器をオフフック状態に設定できる音声検出機能付き電話装置が開発されている。
【０００３】
【発明が解決しようとする課題】
しかしながら、このような電話装置においては、家人が寝静まった深夜や、家人の外出中等に、例えばイビキや単なる物音のような、音声応答ではない騒音が音声検出されて、受話器がオフフック状態に設定されてしまう場合が生じ得る。
【０００４】
また、例えば周辺に学校等があり、昼間と夜とでは騒音レベルが大きく異なる場合に、同じ音声応答の感度レベルでは、必要な音声応答が検出されなかったり、逆に騒音が誤って検出されてしまう不具合が生じる。
【０００５】
本発明は、上記課題に鑑みてなされたものであり、その目的は、音声検出機能による騒音の誤検出を防止できる通信装置を提供することにある。
【０００６】
【課題を解決するための手段】
上記目的を達成するために、請求項１記載の通信装置は、マイクロホンにて取り込まれた所定レベル以上の音声若しくは所定範囲内の周波数の音声を音声検出手段が音声検出した場合に、制御手段によって回線を閉結する動作が自動的に行われる通信装置において、現在時刻を計時する計時手段と、特定の時間帯を記憶する記憶手段と、前記記憶手段に前記特定の時間帯を設定するための時間帯設定手段と、を有し、前記制御手段は、前記計時手段にて計時される現在時刻と前記記憶手段に記憶される特定の時間帯とを対比し、現在時刻が前記特定の時間帯に属する場合に、前記音声検出手段の音声検出感度を自動的に設定制御して、所定の感度まで上げたり下げたりするものである。
【０００７】
請求項１記載の通信装置によれば、現在時刻が記憶手段に記憶された特定の時間帯に属する場合には、制御手段によって自動的に音声検出手段の音声検出感度が上げ下げされることから、騒音の誤検出に基づく誤動作を防止することが可能になる。
【０００８】
例えば、音声入力のなされる可能性が低い時間帯に音声検出感度が低くなるように設定することにより、騒音の誤検出が防止される。また、例えば周辺に学校等があり、昼間の騒音レベルが高い時間帯にも、音声検出感度が低くなるように設定しておけば、騒音による誤検出を防ぐことができる。あるいは、深夜の騒音レベルが低い時間帯に音声検出感度が高くなるように設定しておけば、大きな声を出さなくても音声応答することができる。
【０００９】
請求項２記載の通信装置は、マイクロホンにて取り込まれた所定レベル以上の音声若しくは所定範囲内の周波数の音声を音声検出手段が音声検出した場合に、制御手段によって回線を閉結する動作が自動的に行われる通信装置において、現在時刻を計時しつつ特定の時刻との対比を行い、現在時刻が前記特定の時刻に一致したときに、前記制御手段に所定の信号を入力するタイマーと、前記タイマーに前記特定の時刻を設定するためのタイマー設定手段と、有し、前記制御手段は、前記タイマーから入力された前記所定の信号に基づいて、前記音声検出手段の音声検出感度を自動的に設定制御して、所定の感度まで上げたり下げたりするものである。
【００１０】
請求項２記載の通信装置によれば、タイマーからの入力信号に基づいて、制御手段によって自動的に音声検出手段の音声検出感度が上げ下げされることから、音声検出感度を下げたい時刻及び上げたい時刻を予め設定しておくことにより、騒音の誤検出に基づく誤動作等を防止することが可能になる。また、現在時刻と特定時刻との対比を行うタイマーがあることから、制御手段の負担を軽減して、迅速な処理を行うことが可能となる。さらに、装置としての構成も簡易化される。
【００１１】
また他の態様の通信装置は、マイクロホンにて取り込まれた所定レベル以上の音声若しくは所定範囲内の周波数の音声を音声検出手段が音声検出した場合に、制御手段によって所定の制御動作が自動的に行われる通信装置において、現在時刻を計時する計時手段と、特定の時間帯を記憶する記憶手段と、前記記憶手段に前記特定の時間帯を設定するための時間帯設定手段と、を有し、前記制御手段は、前記計時手段にて計時される現在時刻と前記記憶手段に記憶される特定の時間帯とを対比し、現在時刻が前記特定の時間帯に属する場合に、前記音声検出手段をオン状態またはオフ状態に自動的に設定制御するものである。
【００１２】
本態様の通信装置によれば、現在時刻が特定の時間帯に属する場合に、制御手段によって、音声検出手段が自動的にオン状態またはオフ状態に設定されることから、例えば、音声入力がなされる可能性が低い時間帯に音声検出手段をオフ状態にしておけば、騒音の誤検出を確実に防止することができる。また、音声検出手段がオフ状態に設定されることにより、音声検出を行う必要がない場合における省電力を図ることも可能になる。
【００１３】
また他の態様の通信装置は、マイクロホンにて取り込まれた所定レベル以上の音声若しくは所定範囲内の周波数の音声を音声検出手段が音声検出した場合に、制御手段によって所定の制御動作が自動的に行われる通信装置において、現在時刻を計時しつつ特定の時刻との対比を行い、現在時刻が前記特定の時刻に一致したときに、前記制御手段に所定の信号を入力するタイマーと、前記タイマーに前記特定の時刻を設定するためのタイマー設定手段と、を有し、前記制御手段は、前記タイマーから入力された前記所定の信号に基づいて、前記音声検出手段をオン状態またはオフ状態に自動的に設定制御するものである。
【００１４】
本態様の通信装置によれば、タイマーと制御手段によって、音声検出手段が所定時刻に自動的にオン状態またはオフ状態に設定されることから、音声入力がなされる可能性が低い時間帯における騒音の誤検出を、確実に防止することができる。また、音声検出手段がオフ状態に設定されることにより、音声検出を行う必要がない場合における省電力を図ることも可能になる。さらに、装置としての構成も簡易化される。
【００１５】
また他の態様の通信装置は、請求項１から請求項４までのいずれかに記載の通信装置において、前記音声検出手段のオン状態またはオフ状態を手入力により切り替えるための切り替え手段を有するものである。
【００１６】
本態様の通信装置によれば、切り替え手段があることから、音声検出手段のオン状態、オフ状態を、ユーザーが任意に切り替えることができる。このため、より使いやすい通信装置が得られる。
【００１７】
【発明の実施の形態】
次に、本発明に係る通信装置を、ファクシミリ装置に適用した場合を例にとって、具体的に説明する。
【００１８】
次に、本発明の通信装置を具体化した実施形態を、ファクシミリ装置に適用した場合を例として、図面を参照しつつ説明する。
【００１９】
まず、図２に、本実施形態のファクシミリ装置の外観斜視図を示す。
【００２０】
図２において、ファクシミリ装置１０は、本体１２と、この本体１２の左側部に設置された受話器２８からなる。この受話器２８は、図示しないコードによって本体１２に接続されている。また、本体１２の右側部には、スピーカ２６が設けられている。本体１２の上面の前部には、キー入力部１６が設けられ、そのキー入力部１６の左後部にはＬＣＤ１８が設けられ、右後部にはマイクロホン２７が設けられている。さらに、ＬＣＤ１８及びマイクロホン２７の後部には、原稿挿入口２０が設けられ、ここから挿入された原稿は、本体１２内部のスキャナ５２（図３参照）にて読みとられた後、本体１２の前面であってキー入力部１６の下方に設けられた原稿排出口１４から排出される。原稿挿入口２０の後部には、複数枚の記録紙を積層収納可能な記録紙ホルダ２４が着脱可能に取り付けられている。そして、記録紙ホルダ２４から供給され印字に使用された記録紙は、原稿排出口１４の下方に設けられた記録紙排出口２２から排出される。
【００２１】
このようなファクシミリ装置１０は、図３のブロック図に示されるような電気的構造を有する。つまり、ＣＰＵ３２、ＲＯＭ３４、ＥＥＰＲＯＭ３６、ＲＡＭ３８、画像メモリ４０、音声メモリ４２、計時部４３、センサ４４、音声検出部４５、ネットワーク・コントロール・ユニット（以下「ＮＣＵ」という）４６、切り替え部４７、モデム４８、バッファ５０、スキャナ５２、符号化部５４、復号化部５６、プリンタ５８、キー入力部１６、ＬＣＤ１８及びアンプ６０、６１が設けられ、システムバス３０を介して互いに接続されている。また、ＮＣＵ４６には、受話器２８及び電話回線６４が接続される他、モデム４８も接続されている。そして、アンプ６０にスピーカ２６が接続され、アンプ６１にマイクロホン２７が接続されている。
【００２２】
より詳しくは、ＣＰＵ３２は、システムバス３０を介して接続された各部を制御する。このＣＰＵ３２にて実行される制御プログラム及びこの制御プログラムの実行に必要な各種のデータは、ＲＯＭ３４、ＥＥＰＲＯＭ３６に格納される。
【００２３】
ここで、ＲＯＭ３４に格納される制御プログラムとしては、例えば、音声検出手段のオン状態／オフ状態を切り替えるための切り替えプログラムや音声検出感度を設定するための感度設定プログラム、自動オフフックプログラム、自動発呼プログラム等がある。また、ＣＰＵ３２や音声検出部４５等における処理に際して参照される音データ、数データ、ファクシミリ１０の鳴動音の音声レベルデータ等の各種データも、ＲＯＭ３４に格納される。
【００２４】
ＥＥＰＲＯＭ３６には、特定時間帯データや特定時刻データ、短縮ダイヤルデータ、各種の音声メッセージを出力するためのデータ等が格納される。なお、特定時間帯データや特定時刻データは、複数格納される場合もある。
【００２５】
ＲＡＭ３８には、受話器２８や、マイクロホン２７や、電話回線６４からＮＣＵ４６を介して取り込まれた音声が格納される他、ＣＰＵ３２による動作実行時の各種データが一時的に格納される。
【００２６】
画像メモリ４０は、通信履歴、画像データ及び印刷のためのビットイメージを記憶し、音声メモリ４２は、相手側装置へ送出される応答メッセージや、相手側装置から送られてきた入来メッセージを記憶する。計時部４３は、現在時刻を計測する。センサ４４は、記録紙カバーの開閉状態を検出する。
【００２７】
音声検出部４５は、マイクロホン２７にて取り込まれた音声の中から、所定レベルを超える音声を検出する。この音声検出部４５は、例えば音声ＬＳＩ等により構成することができる。
【００２８】
なお、音声検出方法として、所定レベルを超える音声を検出する他、所定範囲の周波数の音声を検出したり、あるいは、所定レベル若しくは所定範囲の周波数の音声を所定時間以上検出してはじめて所定の制御をするだけの音声があったと「検出」するようにしてもよい。
【００２９】
ＮＣＵ４６は、電話回線６４，６６及び交換機６２を介して接続される図示しない相手側装置との間の信号の送受信を行う。
【００３０】
切り替え部４７は、電源から音声検出部４５への電源供給経路上に配置され、音声検出部４５への電源供給状態を変化させることにより、音声検出部４５のオン状態とオフ状態とを切り替える。この切り替え部４７は、例えばトランジスタで構成することができる。そして、切り替え部４７の切り替え動作は、ＣＰＵ３２からの信号に基づいて行われる。
【００３１】
モデム４８は、このＮＣＵ４６にて送受信される画像データや音声データ等の通信データの変調・復調を行う。なお、モデム４８には、アナログ信号をデジタル信号に変換するため、図示しないデジタル・シグナル・プロセッサ（以下「ＤＳＰ」という）が内蔵されている。そして、マイクロホン２７，受話器２８、及び電話回線６４を通じてファクシミリ装置１０に入力されたアナログ音声信号は、ＮＣＵ４６内のＤＳＰにてデジタル音声信号に変換される。バッファ５０は、相手側装置との間で送受信される符号化された画像情報を含むデータを一時的に記憶する。スキャナ５２は、原稿挿入口２０に挿入された原稿の読み取り面に記された文字・図形を、画像データとして読みとり、符号化部５４は、スキャナ５２が読みとった画像データを符号化する。一方、復号化部５６は、バッファ５０又は画像メモリ４０に記憶された画像データを読み出して、これを復号化する。プリンタ５８は、この復号化されたデータを記録紙に印刷する。キー入力部１６は、テンキーや機能キーを含み、これらのキーによって各種の設定操作や電話番号入力操作等を行うことを可能とする。アンプ６０は、スピーカ２６にて鳴動音や通話音声として出力されるべき音声信号を増幅し、アンプ６１は、マイクロホン２７にて取り込まれた外部音声を増幅する。
【００３２】
なお、本実施形態においては、マイクロホン２７がマイクロホンに相当し、音声検出部４５が音声検出手段に相当し、ＣＰＵ３２が制御手段に相当する。また、計時部４３は計時手段、ＥＥＰＲＯＭ３６は記憶手段、キー入力部１６は時間帯設定手段に、それぞれ相当する。そして、キー入力部１６と、ＣＰＵ３２と、切り替え部４７が、切り替え手段に相当する。
【００３３】
ここで、このファクシミリ装置１０において音声検出による回線の自動閉結処理を行う場合の処理手順の例を、図１のフローチャートに示す。なお、図１の説明においては、適宜図２及び図３を参照する。また、図１の処理手順を実行するためのプログラムはＲＯＭ３４に格納されており、ＣＰＵ３２によって実行される。
【００３４】
図１において、スタート時点では、ファクシミリ装置１０は、受信待機状態にあるものとする。回線６４を通じ、ＮＣＵ４６にて発呼信号を受信すると（Ｓ１：ＹＥＳ）、ＲＯＭ３４に格納されたプログラムに従って、ＣＰＵ３２により音声検出部４５の設定がチェックされる（Ｓ２）。具体的には、ＥＥＰＲＯＭ３６に格納されたユーザー設定情報に基づいて、音声検出部４５がオン状態に設定されているか、オフ状態に設定されているかを判断する。なお、音声検出部４５のユーザー設定は、キー入力部１６からの入力によって行われる。また、音声検出部４５のオン状態とオフ状態の切り替えは、音声検出部４５に供給される電力を遮断するように切り替え部４７を制御することにより行われる。
【００３５】
音声検出部４５がオン状態に設定されている場合は（Ｓ３：ＹＥＳ）、計時部４３にて計時された現在時刻と、ＥＥＰＲＯＭ３６に格納された特定時間帯との対比がＣＰＵ３２により行われる（Ｓ４）。そして、現在時刻が特定時間帯に属する場合には（Ｓ５：ＹＥＳ）、音声検出部４５の音声検出感度が、ＣＰＵ３２の制御により、所定の感度まで下げられる（Ｓ６）。本実施形態の場合、音声検出部４５の音声検出感度は、ＲＯＭ３４に格納された感度設定プログラムにおいて、特定時間帯に属する場合に０％、その他の時に１００％となるように予め定められている。そして、音声検出感度０％では、音声が全く検出されず、音声検出感度１００％では、高い精度で音声が検出される。
【００３６】
次いで、所定レベル以上の音声を検出したか否かが判断され（Ｓ７）、検出されない場合には（Ｓ７：ＮＯ）、受話器２８がオフフック状態にされたか否かが判断される（Ｓ１１）。例えば、受話器２８が手動によりピックアップされた等により、Ｓ１１でオフフック状態と判断されれば（Ｓ１１：ＹＥＳ）回線が閉結される（Ｓ８）。また、Ｓ７で音声を検出したと判断された場合も（Ｓ７：ＹＥＳ）回線が閉結される（Ｓ８）。回線閉結（Ｓ８）の後、音声検出感度が下がっているか否かが判断され（Ｓ９）、下がっていれば（Ｓ９：ＹＥＳ）所定の感度まで上げられ（Ｓ１０）、下がっていなければ、そのまま処理を終了する。
【００３７】
なお、Ｓ５において現在時刻が特定時間帯に属さないと判断された場合には（Ｓ５：ＮＯ）、音声検出感度を下げないままでＳ７に進む。そして、Ｓ１１でオフフックではないと判断された場合には（Ｓ１１：ＮＯ）Ｓ７に戻る。また、Ｓ３で音声検出部４５がオフ状態に設定されている場合は（Ｓ３：ＮＯ）、Ｓ１１に進む。
【００３８】
例えば、特定時間帯として「２１：００〜８：００」がＥＥＰＲＯＭ３６に記憶され、音声検出部４５のユーザー設定がオン状態であったとする。ここで、２２時３０分に発呼信号を受信したとすると（Ｓ１：ＹＥＳ）、オン状態と判断された後（Ｓ３：ＹＥＳ）、特定時間帯に属すると判断され（Ｓ５：ＹＥＳ）、音声検出感度が０％に下げられる（Ｓ６）。このため、音声検出部４５による音声検出が実質的に不可能になり、音声が検出されないと判断され（Ｓ７：ＮＯ）、受話器２８がオフフックにされた場合にのみ（Ｓ１１：ＹＥＳ）回線が閉結される（Ｓ８）。そして、音声検出感度が下がっているため（Ｓ９：ＮＯ）、音声検出感度が１００％まで上げられる（Ｓ１０）。これに対し、発呼信号を受信したのが９時１２分である場合には、特定時間帯に属さないと判断され（Ｓ５：ＮＯ）、音声検出感度１００％のままＳ７に進む。このため、所定レベル以上の音声を検出した場合（Ｓ７：ＹＥＳ）、または受話器２８がオフフック状態にされた場合（Ｓ１１：ＹＥＳ）に、回線が閉結される（Ｓ８）。また、音声検出感度が下がっていないことから（Ｓ９：ＮＯ）、そのまま処理が終了する。
【００３９】
このように、本実施形態によれば、特定時間帯における音声検出が実質的に不可能になる。従って、呼び出し音に対して音声応答がなされる可能性が低い時間帯や周囲の騒音が大きい時間帯等を特定時間帯として予め登録しておけば、そのような時間帯における騒音の誤検出による回線の誤閉結を確実に防止することができる。
【００４０】
なお、特定時間帯に対応して設定されるべき音声検出感度を、ユーザーが任意に設定できるようにすることも可能である。この場合には、特定時間帯データと、この特定時間帯に対応して設定されるべき音声検出感度データが、例えば、図６に示すような時間帯−音声検出感度対応テーブルデータとしてＥＥＰＲＯＭ３６に格納される。この図６では、８：００〜１７：００までの間は音声検出感度０％、１７：０１〜２２：００までは５０％、さらに２２：０１〜７：５９までは１００％に、それぞれ設定されている。そして、この場合の具体的な処理は、基本的に図１のフローチャートに従って行われる。ただし、図１のＳ５では、該当する特定時間帯に対応する音声検出感度に設定されているか否かの判断が行われ、設定されていれば（Ｓ５：ＹＥＳ）Ｓ７に進み、設定されていなければ（Ｓ５：ＮＯ）Ｓ６にて所定の音声検出感度の設定が行われ、回線閉結（Ｓ８）により処理が終了する。この場合、Ｓ９、Ｓ１０の各処理は不要となる。
【００４１】
このように、音声検出感度をユーザーが任意に設定できる場合には、よりユーザーの生活に即したきめ細やかな音声検出感度設定が可能となり、使いやすさが向上する。
【００４２】
また、上記実施形態では、現在時刻と特定時間帯との対比作業をＣＰＵ３２が行っているが、図３における計時部４３の代わりにタイマーを設けてもよい。ここでタイマーとは、現在時刻を計時しつつ特定時刻との対比を行い、特定時刻に所定の信号をＣＰＵ３２に入力する構成要素をいう。よって、タイマーを使用する場合は、時間帯ではなく、時刻を特定してＥＥＰＲＯＭ３６に記憶させておく。この特定時刻は、キー入力部１６からの入力により設定される。つまり、キー入力部１６がタイマー設定手段に相当する。
【００４３】
タイマーがある場合、ＣＰＵ３２は、ＲＯＭ３４などに格納されたプログラムに従い、タイマーからの入力信号に基づいて音声検出部４５等の制御を行う。この場合の音声検出部４５の制御例を、図４のフローチャートに示す。
【００４４】
図４では、まず、タイマーからＣＰＵ３２に対して信号の入力があったか否かが判断される（Ｓ２０）。信号の入力があれば（Ｓ２０：ＹＥＳ）、音声検出部４５のユーザー設定状態がチェックされ（Ｓ２１）、オン状態である場合には（Ｓ２２：ＹＥＳ）、音声検出感度が所定の感度まで下げられる（Ｓ２３）。その後、再びタイマーからの信号が入力されると（Ｓ２４：ＹＥＳ）、音声検出感度が所定の感度まで上げられる（Ｓ２５）。
【００４５】
一方、Ｓ２２でユーザー設定がオフ状態である場合には（Ｓ２２：ＮＯ）そのまま処理を終了する。また、Ｓ２０及びＳ２４では、タイマーからの信号が入力されないうちは、次のステップに進むことができない（Ｓ２０：ＮＯ、Ｓ２４：ＮＯ）。
【００４６】
このように、発呼信号の受信によらず、タイマーからの信号の入力に基づいて音声検出感度が設定される場合には、例えば図５のフローチャートに示すような手順に従って、回線の閉結処理が行われる。
【００４７】
つまり、発呼信号を受信すると（Ｓ３０：ＹＥＳ）、音声検出部４５のユーザー設定状態がチェックされ（Ｓ３１）、オン状態であれば（Ｓ３２：ＹＥＳ）、音声検出部４５にて音声が検出されたか否かが判断される（Ｓ３３）。このとき、既に、音声検出感度が例えば０％まで下げられていたとすると、音声が検出されず（Ｓ３３：ＮＯ）、受話器２８の状態がチェックされる（Ｓ３５）。そして、受話器２８がオフフック状態になった場合（Ｓ３５：ＹＥＳ）にのみ、回線が閉結される（Ｓ３４）。音声検出感度が０％まで下げられていない場合には、音声が検出されれば（Ｓ３３：ＹＥＳ）回線が閉結され（Ｓ３４）、所定時間内に音声が検出されない場合には、受話器２８の状態がチェックされる（Ｓ３５）。
【００４８】
このように、タイマーを使用する場合には、現在時刻と特定時刻との対比作業をＣＰＵ３２が行う必要がないことから、ＣＰＵ３２の負担が軽減される。また、回線からの発呼信号の受信に依存しないことから、発呼信号受信後のＣＰＵ３２の処理が簡略化され、より迅速な処理が可能となる。さらに、装置としての構成も簡易化される。
【００４９】
また、音声検出感度が０％まで下げられている間は、音声検出が実質的に不可能であることから、騒音等の誤検出による回線の誤閉結を確実に防止することが可能となる。
【００５０】
なお、本発明の実施の形態は、上述の例に限られず、種々の変形が可能である。
【００５１】
例えば、音声検出感度を調整するのではなく、音声検出部４５のオン状態とオフ状態を切り替えるように設計することもできる。このような設計変更は、図３のＲＯＭ３４に格納されるプログラムを変更するだけで実現可能である。つまり、ＣＰＵ３２が現在時刻と特定時間帯との対比を行う場合は、図１のＳ６において音声検出部４５をオフ状態に切り替え、Ｓ９で音声検出部４５がオフ状態か否かを判断し、オフ状態である場合（Ｓ９：ＹＥＳ）に、Ｓ１０で音声検出部４５をオン状態に切り替えるようなプログラムを作成すればよい。あるいは、例えば図７に示すような時間帯−音声検出部の状態対応テーブルデータを用い、図１のＳ５で、現在時刻が属する特定時間帯（例えば８：００〜２１：００）に対応する状態（この場合はオン状態）に音声検出部４５が設定されているか否かの判断を行い、設定されていれば（Ｓ５：ＹＥＳ）Ｓ７に進み、設定されていなければ（Ｓ５：ＮＯ）Ｓ６にて対応する状態の設定を行うように設計することもできる。この場合は、図１のＳ９、Ｓ１０の処理は不要となる。また、計時部４３に代えてタイマーを用いる場合には、図４のＳ２３で音声検出部４５をオフ状態に切り替え、Ｓ２５でオン状態に切り替えるようなプログラムを設計すればよい。このように、音声検出部４５そのものをオフ状態に切り替える場合には、音声検出部４５にて電力が消費されないため、省電力化が図られる。このことは、特にコードレス電話等に本発明が適用された場合に効果的である。
【００５２】
さらに、音声検出部４５のオン状態／オフ状態を、ユーザーが設定できないようにしたり、タイマー機能のオン／オフをユーザーが設定できるようにすることもできる。
【００５３】
また、音声検出感度が高い状態を基本として、感度を下げる時間帯を設定してもよいし、音声検出感度が低い状態を基本として、感度を上げる時間帯を設定してもよい。同様に、音声検出部のオン状態を基本とするか、オフ状態を基本とするかも、任意に決定できる。
【００５４】
【発明の効果】
以上説明したように、請求項１または請求項２記載の通信装置によれば、特定時間帯または特定時刻に、制御手段によって自動的に音声検出手段の音声検出感度が上げ下げされることから、騒音の誤検出に基づく誤動作を防止することが可能になる。特に、請求項２記載の通信装置の場合は、タイマーがあることから、制御手段の負担を軽減して、迅速な処理を行うことが可能となる。また、装置としての構成も簡易化される。
【００５５】
また、他の態様の通信装置によれば、現在時刻が特定の時間帯に属する場合または特定の時刻である場合に、制御手段によって自動的に音声検出手段がオン状態またはオフ状態に設定されることから、騒音の誤検出に基づく誤動作を防止することが可能になる。特に、請求項４記載の通信装置の場合は、タイマーがあることから、制御手段の負担を軽減して、迅速な処理を行うことが可能となる。また、装置としての構成も簡易化される。
【００５６】
また他の態様の通信装置によれば、切り替え手段があることから、音声検出手段のオン状態、オフ状態を、ユーザーが任意に切り替えることができる。このため、より使いやすい通信装置が得られる。
【図面の簡単な説明】
【図１】本実施形態のファクシミリ装置において、音声検出により回線の自動閉結処理を行う場合の処理手順の例を示すフローチャートである。
【図２】本実施形態のファクシミリ装置の外観斜視図である。
【図３】本実施形態の電気的構造を示すブロック図である。
【図４】タイマーからの入力信号に基づいて音声検出部が制御される場合の手順の例を示すフローチャートである。
【図５】タイマーからの信号の入力に基づいて音声検出感度が設定される場合の回線閉結処理手順の例を示すフローチャートである。
【図６】  時間帯−音声検出感度対応テーブルデータの例を示す図である。
【図７】  時間帯−音声検出部の状態対応テーブルデータの例を示す図である。
【符号の説明】
１６  キー入力部（時間帯設定手段、タイマー設定手段、切り替え手段）
２７  マイクロホン
３２  ＣＰＵ（制御手段、切り替え手段）
３６  ＥＥＰＲＯＭ（記憶手段）
４３  計時部（計時手段）
４５  音声検出部（音声検出手段）
４７  切り替え部（切り替え手段）
【図１】
0004025940.tif 000002
【図２】
0004025940.tif 000003
【図３】
0004025940.tif 000004
【図４】
0004025940.tif 000005
【図５】
0004025940.tif 000006
【図６】
0004025940.tif 000007
【図７】
0004025940.tif 000008